(57)【特許請求の範囲】
【請求項１】
人に関する特定の事象が発生した日を基準日として、この基準日からそれぞれあらかじめ定められた日数が経過した日に当該事象に関連して催されるべき複数の行事の各々に関する行事名称情報と経過日数情報とが記憶された行事モデル情報記憶手段と、
日付情報が入力される日付入力手段と、
この日付入力手段により入力された日付情報を前記基準日として、それぞれの行事に対して前記行事モデル情報記憶手段に記憶された前記経過日数情報に基づいて、それぞれの行事の開催予定日情報を算出する演算手段と、
この演算手段により算出されたそれぞれの行事の開催予定日情報が記憶される行事予定日情報記憶手段と、
撮像手段により撮影された複数の画像データが個々のメモリアドレスに記憶される画像データ記憶手段と、
前記撮像手段で撮影を行った日が、前記行事予定日情報記憶手段に記憶されたいずれかの開催予定日情報が示す日付に一致するとき、前記撮像手段により撮影されて前記画像データ記憶手段に記憶された画像データのメモリアドレスを示す識別情報を、前記行事予定日情報記憶手段に記憶された当該開催予定日情報に関連付けて記憶させる関連付け手段と、
を具備したことを特徴とする行事管理機能付き電子機器。
【請求項２】
更に、前記行事モデル情報記憶手段に記憶されているそれぞれの行事の行事名称情報と、前記行事予定日情報記憶手段に記憶されたそれぞれの行事の開催予定日情報とが表示される表示手段と、
この表示手段に表示された行事に関する行事名称情報のうちの一つを選択する選択手段と、
この選択手段により選択された行事の開催予定日情報に関連付けられている識別情報に対応する画像データを、前記画像データ記憶手段から読み出して前記表示手段に表示させる表示制御手段と、
を具備し、
前記関連付け手段は、前記開催予定日情報の示す日付に最初に撮影された画像データの識別情報を記憶させる
ことを特徴とする請求項１に記載の行事管理機能付き電子機器。
【請求項３】
撮像手段と、
この撮像手段により得られた複数の画像データが個々のメモリアドレスに記憶される画像データ記憶手段と、
複数の行事それぞれの開催予定日が記憶される行事予定日情報記憶手段と、
前記撮像手段を用いて画像データを得た日が、前記行事予定日情報記憶手段に記憶された複数の行事の開催予定日のいずれかに一致するときのみ、前記画像データが記憶される前記メモリアドレスを表す識別情報と前記開催予定日とを関連付けて記憶する関連付け情報記憶手段と、
を具備することを特徴とする撮像装置。
【請求項４】
前記複数の行事のいずれかを選択する選択手段と、
前記関連付け情報記憶手段に記憶された前記関連付け情報に基づいて、当該選択された行事に関連付けられた識別情報に対応する画像データを、前記画像データ記憶手段から読み出して表示する表示手段と、
を更に具備し、
前記関連付け情報記憶手段は、前記開催予定日に最初に得た画像データの識別情報を記憶する
ことを特徴とする請求項３に記載の撮像装置。
【発明の詳細な説明】
【０００１】
【発明の属する技術分野】
本発明は、例えば子供の誕生等の様な人に関連する特定の事象の発生を契機としてその後に催される複数の行事を管理する機能を有する行事管理機能付き電子機器及び撮像装置に関する。
【０００２】
【従来の技術】
子供の誕生に伴い、両親がお七夜、内祝い、お宮参り等の複数の行事を催すのが通常である。しかして、お七夜は誕生日から７日目、お宮参りは３０日目あるいは３１日目、お食い初めは１００日目あるいは１２０日目というように、各行事を催す日は誕生日から予め定められた日数が経過した日に決められており、これらの日、或いはその近辺の日に各行事を行うようにしている。又、これらの行事の時には、カメラ等の撮像装置を用いて子供を撮影する事が行われている。この場合、現在のカメラは、撮影した日を写真に写し込むことが出来るようになっている。更に、子供が誕生すると、その子供の成長に伴って、子供の身長や体重を母子手帳や育児ノートなどに書き込んだりする事も行われている。
【０００３】
【発明が解決しようとする課題】
然して、上記各行事の予定日を簡単に知ることができれば便利であるが、そのためには、誕生日からの日数を計算して暦に書き込んだり、自己の電子的なスケジュール帳に記憶させたりしなければならず、非常に手間がかかって面倒である。又、各行事においてカメラ撮影された画像は、たとえ画像に日付が入っていたとしても、撮影がとびとびの日付でなされるため、その撮影内容の確認等は、全画像を読み出して行わなければならず、整理が極めて面倒である。更に、各行事における子供の身長や体重に関しては、画像を見ながら母子手帳や育児ノートなどでその日の身長や体重を確認する様にしており、これも又、煩わしいものであった。
【０００４】
本発明は、以上のことを考慮してなされたものであり、本発明の目的は、人に関連する特定の事象の発生を契機として催される複数の行事を管理する機能を有する行事管理機能付き電子機器及び撮像装置を提供することである。
【０００５】
【課題を解決するための手段】
前記目的を達成するため、本発明に係る行事管理機能付き電子機器は、人に関する特定の事象が発生した日を基準日として、この基準日からそれぞれあらかじめ定められた日数が経過した日に当該事象に関連して催されるべき複数の行事の各々に関する行事名称情報と経過日数情報とが記憶された行事モデル情報記憶手段と、日付情報が入力される日付入力手段と、この日付入力手段により入力された日付情報を前記基準日として、それぞれの行事に対して前記行事モデル情報記憶手段に記憶された前記経過日数情報に基づいて、それぞれの行事の開催予定日情報を算出する演算手段と、この演算手段により算出されたそれぞれの行事の開催予定日情報が記憶される行事予定日情報記憶手段と、撮像手段により撮影された複数の画像データが個々のメモリアドレスに記憶される画像データ記憶手段と、前記撮像手段で撮影を行った日が、前記行事予定日情報記憶手段に記憶されたいずれかの開催予定日情報が示す日付に一致するとき、前記撮像手段により撮影されて前記画像データ記憶手段に記憶された画像データのメモリアドレスを示す識別情報を、前記行事予定日情報記憶手段に記憶された当該開催予定日情報に関連付けて記憶させる関連付け手段とを具備したことを特徴とする。
【０００９】
本発明に係る撮像装置は、撮像手段と、この撮像手段により得られた複数の画像データが個々のメモリアドレスに記憶される画像データ記憶手段と、複数の行事それぞれの開催予定日が記憶される行事予定日情報記憶手段と、前記撮像手段を用いて画像データを得た日が、前記行事予定日情報記憶手段に記憶された複数の行事の開催予定日のいずれかに一致するときのみ、前記画像データが記憶される前記メモリアドレスを表す識別情報と前記開催予定日とを関連付けて記憶する関連付け情報記憶手段とを具備することを特徴とする。
【００１３】
【発明の実施の形態】
以下、本発明に係る電子機器の実施の形態を図面を参照して更に詳細に説明する。
【００１４】
図１は、本発明に係る行事管理機能を有する電子機器或いは撮像装置の例としての電子スチールカメラ（以下、単に電子カメラと呼ぶ）の一つの実施の形態の概略ブロック図である。図において、光学系１は光学レンズなどを含み図示しない被写体の像を、例えばＣＣＤ受光素子からなる撮像素子２上に結像する。尚、光学系１には、通過光量を調整する図示しない絞り機構が含まれている。自動利得制御部３は、撮像素子２より出力される画像信号のレベルを自動的に調整し、Ａ／Ｄ変換部４は調整後の画像信号をディジタルデータに変換する。
【００１５】
信号処理部５は得られたディジタルデータに対して各種の信号処理を施す。制御部６は、信号処理部５により最終的に出力される画像データを取り込む。前記制御部６は、図示しない中央処理ユニット（ＣＰＵ）、後述する各種プログラムデータ、各種パラメータデータ及びアルファベット、日本語並びに数値等の文字データを記憶したリードオンリーメモリ（ＲＯＭ）、前記プログラムの実行時に各種データの記憶部として使用されるランダムアクセスメモリ（ＲＡＭ）等を内蔵し、ＲＯＭに記憶されたプログラムにしたがって本電子カメラの動作を制御する。
【００１６】
例えば撮像時には、撮像素子２を駆動する駆動制御部７を制御して撮像素子２により撮影された画像データの出力タイミングを制御する。又、撮影に先立って、図示しない距離検出装置からの出力信号に基づいて自動的に焦点位置を会わせるように、光学系駆動回路８を制御して光学系１を光学軸にそって前後に移動する。更に、光量検出部９の出力にしたがって光学系１の絞りの量とシャッタ時間と、ストロボの使用の要否を決める。更に又、光学系駆動回路８を制御して光学系１内の絞りの量を決定された値に設定する。或いは、ストロボの使用が必要な場合には、撮影時にストロボ駆動制御部１０を制御してストロボ１１の発光タイミングと発光量を制御する。
【００１７】
制御部６には以下の回路又は装置が更に接続されている。表示装置１２は、例えば液晶表示装置からなり、撮影された画像の表示、ユーザが入力したデータの表示又は各種警告の表示、さらには、後述する各種行事に関する表示等の目的に使用される。記憶媒体駆動制御部１３には不揮発性の半導体メモリからなるメモリカード１４を脱着可能に装着でき、記憶媒体駆動制御部１３は、制御部６の制御のもとでメモリカード１４に対するデータの読み書きを実行する。例えば、本電子カメラにより得られた画像データがメモリカード１４に記憶される。入出力端子１５は、例えば外部のパーソナルコンピュータ等に接続され、本電子カメラにより得られた画像データを当該パーソナルコンピュータ等に転送するときに使用される。
【００１８】
時計回路１６は、図示しないクロック信号発生回路と、当該回路により発生されたクロック信号に基づいて日時（現在の年、月日、時刻）を示す時刻データを発生する回路とを内蔵し、制御部６に当該クロック信号と時刻データを供給する。画像メモリ１７は、本電子カメラにより撮影された画像データを記憶するためのメモリであり、例えば不揮発性の半導体メモリからなる。
【００１９】
行事メモリ１８は、本発明に係る行事管理機能を実現するために設けられたメモリであり、行事の名称、開催日等の行事に直接関係するデータ及びその他の行事に間接的に関連するデータを記憶するのに使用される。この行事メモリ１８は、例えば不揮発性の半導体メモリからなるもので、行事メモリ１８に記憶されるデータの詳細は後に説明する。行事メモリ１８と画像メモリ１７とを共通のメモリで構成してもよい。更に、メモリカード１４を、画像メモリ１７及び行事メモリ１８に使用してもよい。
【００２０】
音声発生部１９は、例えば警告をスピーカ２０を介してユーザに発するために使用される。操作ボタン群２１には、電源ボタン、シャッタボタンその他のいろいろなボタンが含まれる。これらのボタンの種類とそれらの使用方法については後に説明する。
【００２１】
電子カメラでは、撮像素子２が電荷を蓄積し始める時刻から蓄積し終わるまでの時刻を撮像素子２に与える信号により制御することができ、その意味で撮像素子２は電子シャッタを内蔵しているあるいは電子シャッタ機能を有すると言われる。電子シャッタの機能はメカニカルなシャッタによるシャッタ機能と同等である。したがって、本明細書では、電子シャッタも単にシャッタと呼ぶことにする。また、電子シャッタは撮像素子２により実現されるものであるが、メカニカルシャッタの場合と同様に、電子シャッタは光学系１内に設けられていると説明する場合がある。なお、市販されている電子カメラの中には、電子シャッタとともに光学系１の内部にメカニカルなシャッタを設けているものもある。
【００２２】
図２は、行事メモリ１８に設けられたいろいろな記憶領域の例を示す。本実施の形態では、人に関する特定の事象の発生を契機として催される複数の行事の例として、子供の誕生に関連して親が行う行事が本電子カメラにより管理される。行事メモリ１８には、複数の行事データ群記憶領域１８０、１９０、…が設けられる。各行事データ群記憶領域は、同一の個人に関する複数の行事データを記憶するのに使用される。例えば、行事データ群記憶領域１８０、１９０はそれぞれ二人の子供、例えば「太郎」「次郎」に関する行事データ群を記憶するのに用いられる。以下では、各行事データ群記憶領域１８０、１９０、…のそれぞれを説明の簡単化のためにページと呼ぶことがある。
【００２３】
同図（ｂ）は、一つのページ、例えばページ１８０に設けられた複数の行事データ記憶領域を示す。ページ１８０には複数の行事データ記憶領域１８１Ａから１８１Ｅ、…１８１Ｆ、１８１Ｇ、…が設けられる。各行事データ記憶領域には氏名／行事名称記憶領域１８２と基準日／開催予定日記憶領域１８３が設けられる。最初の行事データ記憶領域１８１Ａ内の氏名／行事名称記憶領域１８２と基準日／開催予定日記憶領域１８３にはそれぞれ誕生した子供の氏名並びに基準日（今の例では誕生日）及び誕生時刻が記憶される。なお、誕生時刻は記憶しないようにすることもできる。
【００２４】
第２の行事データ記憶領域１８１Ｂ以降の内部に設けられた氏名／行事名称記憶領域１８２と基準日／開催予定日記憶領域１８３には、誕生を契機として催される行事に関する行事データとして当該行事の名称と開催予定日が記憶される。
【００２５】
すべての行事データ記憶領域１８１Ａ、…には、画像データ識別情報記憶領域１８４と、体重記憶領域１８５と身長記憶領域１８６とが更に設けられている。これらの領域１８４から１８６に関しては誕生も他の行事と同様に扱われる。すなわち、画像データ識別情報記憶領域１８４には、誕生日あるいは行事の日に撮影され、画像メモリ１７に記憶された一連の画像データのうちの先頭の画像データの識別情報が記憶される。例えば、当該先頭の画像データが記憶された画像メモリ１７のメモリアドレスが画像データ識別情報として記憶される。
【００２６】
画像データ識別情報は、行事の日に撮影された画像データと当該行事とを関連付ける情報として記憶され、後にその関連付け情報を用いてユーザが指定した行事に関する画像データを表示するのに使用される。体重記憶領域１８５と身長記憶領域１８６には、誕生日を含めて、いずれかの行事の日に測定された子供の体重と身長が、当該行事に関連したデータとして記憶される。
【００２７】
第２番目以降の行事データ記憶領域１８１Ｂ、…内の氏名／行事名称記憶領域１８２と基準日／開催予定日記憶領域１８３にそれぞれ記憶される行事名称と開催予定日は、電子カメラの制御部６に記憶されたプログラムにより、先頭の行事データ記憶領域１８１Ａに記憶された基準日（ここでは誕生日）に基づいて決定され、記憶される。記憶される行事データには、お七夜のように誕生後すぐに実行される行事から、幼稚園（年少）入園、幼稚園（年長）入園のように、誕生後３年又は５年経過した時点で発生するようなことも行事として含まれている。なお、決定された開催予定日はユーザにより変更可能になっている。また、同図（ｃ）に示すように、ユーザが別に入力設定した行事も行事メモリ１８に追加可能である。
【００２８】
図３は、画像メモリ１７に設けられた複数の画像データ記憶領域を示す。誕生日又は各行事の日に得られた複数の画像データは、連続する画像データ記憶領域に順次記憶されると仮定する。例えば誕生日に得られた複数の画像データは、順次隣接する画像データ記憶領域１７０、１７１、…に記憶され、お七夜の日に得られた複数の画像データは、後続の画像データ記憶領域１７２、１７３、…に記憶される。
【００２９】
同様に、内祝いの日に得られた複数の画像データは、後続の画像データ記憶領域１７４、…に記憶され、お宮参りの日に得られた複数の画像データは、後続の画像データ記憶領域１７５、…に記憶される。なお、図において各画像データ記憶領域の前に付された数値は当該記憶領域のメモリアドレスを例示している。例えば誕生日に得られた複数の画像データが記憶される画像データ記憶領域１７０、１７１、…のメモリアドレスは、「０００１」、「０００２」、…である。
【００３０】
図４は、本電子カメラに設けられた操作ボタン群２１（図１）に含まれる複数のボタンの例を示す。操作ボタン群２１には電源ボタン２１Ａ、シャッタボタン２１Ｂ、再生ボタン２１Ｃ、通信ボタン２１Ｄ、後方歩進ボタン２１Ｅ、前方歩進ボタン２１Ｆ、関連データボタン２１Ｇ、画像読み出しボタン２１Ｈ、行事変更ボタン２１Ｊ、行事追加ボタン２１Ｋ、ページ設定ボタン２１Ｌ、ページ選択ボタン２１Ｎ、文字記号を入力するための複数のボタンからなる文字記号入力ボタン群２１Ｐ等が含まれる。
【００３１】
ボタン２１Ａから２１Ｎはそれぞれ独立の名称を有するボタンであるが、これらのボタンのいくつかは、文字記号入力ボタン群２１Ｐ内の複数のボタンを適当に組み合わせて使用することによっても実現することもできる。こうすると操作ボタン群２１に含まれるべきボタンの総数を減らすことができる。
【００３２】
図５は、制御部６（図１）内のＲＯＭに設けられた複数のプログラム記憶領域を示す。プログラム記憶領域６１から６６にはそれぞれ電源供給処理プログラム６１０、撮影モード処理プログラム６２０、再生モード処理プログラム６３０、通信モード処理プログラム６４０、行事モード初期処理プログラム６５０、行事モードボタン別処理プログラム６６０が記憶されている。
【００３３】
図６は、プログラム記憶領域６１（図５）に記憶された電源供給処理プログラム６１０により実行される処理の一例を示す概略フローチャートである。電源ボタン２１Ａは、例えば最初に押されたときに押されたままのオン状態になり再度押されるまでオン状態を維持し、再度押されたときに元の状態に戻る、即ちオフ状態になる、手動復帰型のスイッチである。電源供給処理プログラム６１０は、電源ボタン２１Ａが押されてオン状態になったとき又はオフされたときに起動して一度のみプログラムが実行される。
【００３４】
即ち、電源供給処理プログラム６１０は、ステップＳ６１１において電源ボタン２１Ａが押されてオン状態になったのか又はオフ状態になったのかが判断され、オン状態になったと判断されたときには、ステップＳ６１２に進み、本電子カメラの各部へ電源が供給される。この電源の供給は後述するステップＳ６１６で電源供給がストップされるまで継続する。然して、次のステップＳ６１３においては本電子カメラの各部が初期化される、すなわち、例えば、光学系１（図１）の位置があらかじめ定められた使用時の位置に設定される等、各部の状態が初期状態に設定される。その後、ステップＳ６１４において本電子カメラの動作モードが撮影モードに設定され、電源供給処理プログラム６１０は終了する。
【００３５】
もし電源ボタン判定ステップＳ６１１により電源ボタン２１Ａがオフ状態になったと判断されたときには、終了処理Ｓ６１５が実行され、本電子カメラ内の各部の状態が終了状態に設定される。例えば、光学系１の位置が不使用時の位置に移動される。その後ステップＳ６１６により本電子カメラ内の各部への電源供給が停止される。
【００３６】
このように本電子カメラは電源投入時に撮影モードになる。撮影モードでは、本電子カメラはシャッタボタン２１Ｂ（図４）が押されると、プログラム記憶領域６２（図５）に記憶された撮影モード処理プログラム６２０が実行され、撮像が実行される。この撮影モードでの装置動作は後に説明する。
【００３７】
再生ボタン２１Ｃ（図４）が押されると、本電子カメラは再生モードになり、プログラム記憶領域６３（図５）に記憶された再生モード処理プログラム６３０が起動される。再生モード処理プログラム６３０が起動されると、既に行われた撮影により画像メモリ１７に記憶された画像データが読み出され、表示装置１２に表示される。
【００３８】
通信ボタン２１Ｄ（図４）が押されると、本電子カメラは通信モードになり、プログラム記憶領域６４（図５）に記憶された通信モード処理プログラム６４０が起動される。通信モード処理プログラム６４０が起動されると、画像メモリ１７に記憶された複数の画像データのうちユーザが指定した画像データが入出力端子１５を介して外部の装置、例えば図示しないパソコンに転送される。
【００３９】
本電子カメラの行事管理機能を使用するには、ユーザは、後に述べるページ設定処理を実行してページを行事メモリ１８に設定し、そのページに氏名、誕生日等の初期設定データを記憶する必要がある。ページ設定処理は、本電子カメラが行事モードにあるときに実行可能になっている。本電子カメラを行事モードにセットする処理は、以下に述べるように行事モード初期処理プログラム６５０により実行される。
【００４０】
行事ボタン２１Ｅ（図４）は、例えば押されたときにオン状態となり、再度押されたときにオフ状態になる、前記電源ボタン２１Ａと同様の構成の手動復帰型のボタンにより構成することができる。このボタンがオン状態あるいはオフ状態になったとき、プログラム記憶領域６５（図５）に記憶された行事モード初期処理プログラム６５０が起動される。したがって、ユーザが本電子カメラの行事管理機能を初めて使用するユーザは、ページ設定を行うために行事ボタン２１Ｅをまずオン状態にする。
【００４１】
図７は、行事モード初期処理プログラム６５０により実行される処理の一例を示す概略フローチャートである。行事モード初期処理プログラム６５０においては、まず、行事ボタン２１Ｅがオン状態になったかオフ状態になったかが判別される（ステップＳ６５１）。行事ボタン２１Ｅがオン状態に変化したときには、本電子カメラは行事モードに設定される（ステップＳ６５２）。なお、本電子カメラは、撮影モード、再生モード、通信モードのいずれのモードであるときにも行事モードに移行可能になっている。
【００４２】
その後、行事メモリ１８にページが設置済みか否かが判別される（ステップＳ６５３）。今の仮定では、行事メモリ１８にページはまだ設定されていないとする。この場合には、行事モード初期処理プログラム６５０は他の処理を実行しないで終了する。行事モード初期処理プログラム６５０が終了した後も本電子カメラは行事モードのままである。
【００４３】
本電子カメラが行事モードにあるときには、後に説明するようにユーザによりページ設定ボタンを含むいろいろなボタンが操作され、操作されたボタンに応じた処理がなされる。その後、行事ボタン２１Ｅが再度押されると、ステップＳ６５１により行事ボタン２１Ｅがオフ状態になったことが判別され、ステップＳ６５４により本電子カメラの行事モードがリセットされる。そのとき、本電子カメラは、行事モードに移る前のモードに戻る。なお、ページが設定された後に行事ボタン２１Ｅがオン状態にされた際には、ステップＳ６５３によりページ設定済みと判断され、図８で詳細を示す、行事モード初期画面表示処理８００が実行されるが、この処理８００は後に説明する。
【００４４】
操作ボタン群２１（図４）には、本電子カメラが行事モードに設定されているときに使用可能な多数のボタンが用意されている。例えば、前方歩進ボタン２１Ｆ、後方歩進ボタン２１Ｇ、関連データボタン２１Ｈ、画像読み出しボタン２１Ｊ、行事変更ボタン２１Ｋ、行事追加ボタン２１Ｌ、ページ設定ボタン２１Ｌ、ページ選択ボタン２１Ｎである。これらのボタンはいろいろな構造により実現できる。例えば、ユーザが押すとオン状態になった後に押すのをやめると自動的にオフ状態に復帰する自己復帰型のボタンにより構成できる。本電子カメラが行事モードにあるときに、上記のボタンのいずれかがオンされたと、プログラム記憶領域６６（図５）に記憶された行事モードボタン別処理プログラム６６０が起動される。
【００４５】
図９は、行事モードボタン別処理プログラム６６０により実行される処理の例を示す概略フローチャートの一部であり、図１０と図１１は、それぞれ当該フローチャートの他の部分である。行事モードボタン別処理プログラム６６０は、どのボタンがオンにされたかを判断して、オンにされたボタンに応じた処理が実行するようになっている。
【００４６】
ユーザが本電子カメラの行事管理機能を初めて使用するためには、ページ設定ボタン２１Ｍをオンにする。このボタンがオンにされたか否かは図１１のステップＳ７１０により判断される。このボタンがオンにされたと判断されたときは、初期設定データの入力がなされる（ステップＳ７１１）。具体的には、誕生した子供の氏名データと誕生日データと時刻データとを入力する画面が表示装置１２に表示され、ユーザが文字記号入力ボタン群２１Ｐを用いてこれらのデータを入力する。
【００４７】
更にステップＳ７１２では、当該入力データは初期設定データとして行事メモリ１８内の所定のページに記憶される。ページ選択ボタン２１Ｎが操作されていないという仮定では、行事メモリ１８の最初のページ１８０（図２）に記憶される。すなわち、図２（ｂ）に示す、最初の行事データ記憶領域１８１Ａ内の氏名／行事名称記憶領域１８２と基準日／開催予定日記憶領域１８３に、入力された氏名（例えば「○○太郎」）と誕生日と誕生時間（例えば「２００１年０２月０１日  ＡＭ８時３４分」）が記憶される。
【００４８】
図１１に戻り、ステップＳ７１３では、誕生に関連する複数の行事の開催予定日（以下、単に開催日と呼ぶことがある）が計算される。この計算のために、制御部６（図１）内の図示しないＲＯＭにあらかじめ行事モデルデータが記憶されている。
【００４９】
図１２は、当該ＲＯＭ内に設けられた行事モデルデータ記憶領域６７に予め記憶されている記憶データを示す。行事モデルデータ記憶領域６７には、誕生という特定の事象の発生を契機として催される複数の行事の各々について、行事の内容を示す行事名称データを記憶する領域６７１と当該行事が行われるべき日の基準日（今の例では誕生日）からの経過期間（日数）を記憶する領域６７２とが設けられている。
【００５０】
誕生を契機として催される行事には、誕生に直接関連して行われる行事とその後の幼稚園への入園等の子供の成長に関連して行われる複数の行事が含まれている。誕生に直接関連して行われる行には、例えばお七夜、内祝い、お食い初め等があり、その後の子供の成長に関連する行事として、幼稚園（年少）入園、幼稚園（年長）入園等がある。図示していないが、小学校への入学等の行事も含まれている。幼稚園、小学校等の教育関連期間への入学も子供に関する大きな行事であるので、行事モデルデータに含まれていることが望ましい。
【００５１】
なお、行事モデルデータは、図示したような表形式でＲＯＭに記憶されていなくてもよい。例えば、ＲＯＭに記憶されたプログラム内部に各行事の名称と経過期間が分散して記憶されていてもよい。また、図示したすべての行事が行事モデルデータに記憶されていなくてもよい。例えば、典型的に催されるお宮参り、お食い初めが少なくとも記憶され、他のお七夜、内祝い等の行事予定は、ユーザにより後に説明する方法で追加設定するようにしてもよい。更に、ＲＯＭに記憶された行事名称データは、上記のお七夜、内祝い、お食い初めといった簡潔な言葉でなく、例えば、「生まれてから７日を無事経過したことを祝う」といった説明文のような名称データであってもよい。
【００５２】
誕生日から各行事を催すべき日までの経過期間は原則的には決まっている。例えばお七夜は誕生後７日目である。しかし、お宮参りのように誕生後３０日目又は３１日目のように複数の経過期間が定められている場合もある。お食い初めも同様に１００日目又は１２０日目である。一方、内祝いについては経過期間の定めがなく、任意の日に開催してもよいことになっている。また、幼稚園（年少）入園と幼稚園（年長）入園は、満３才あるいは満５才になった後の４月１日と定められている。
【００５３】
上記開催日計算ステップＳ７１３では、入力された誕生日と各行事について定められた領域６７２に記憶されている経過期間に基づいて各行事の開催日が演算処理されて決定される。したがって、ユーザは開催日を計算して決める必要がない。この場合、お宮参りあるいはお食い初めのように複数の経過期間が定められているときには、それぞれの経過期間に対応する複数の開催日が開催日候補として決定される。また、内祝いのように開催日が任意である行事については開催日は決定されない。
【００５４】
次にステップＳ７１４においては、お宮参りあるいはお食い初めのように複数の開催日候補が決定された場合、いずれかの開催日候補の選択をユーザに要求する。すなわち、表示装置１２に行事の名称と当該行事に対して決定された複数の開催日候補が表示される。ユーザは、それらの一つを文字記号入力ボタン群２１Ｐを用いて選択する。このような開催日候補の選択は、宮参りとお食い初めに対して実行される。
【００５５】
ステップＳ７１５においては、内祝いのように開催日が任意である行事に対して、開催日の入力をユーザに要求する。すなわち、表示装置１２に行事名を表示する。ユーザは、文字記号入力ボタン群２１Ｐを用いて開催日を入力する。ユーザは、開催日を決められないときには、開催日を入力しないで後で入力することもできる。こうして各行事の開催日が決定される。
【００５６】
ステップＳ７１６では、各行事に関する行事の名称と開催日とからなる行事データが行事メモリ１８に記憶される。具体的には、図２（ｂ）に例示されるように、第２の行事データ記憶領域１８１Ｂ以降の複数の行事データ記憶領域に設けられた氏名／行事名称記憶領域１８２と開催予定日記憶領域１８３に、行事名称と決定された開催予定日が記憶される。
【００５７】
図の例では、例えば「お七夜」、「内祝い」、「お宮参り」、「お食い初め」という予め行事モデルデータ記憶領域６７に記憶されていた行事名称データと、演算処理によって得られた、それぞれの行事の開催日としての「２００１．０２．０８」、「２００１．０３．０１」、「２００１．０３．０４」、「２００１．０５．１２」が記憶されている。一方、幼稚園（年少）入園と幼稚園（年長）入園に対しては、「２００４．０４．０１」、「２００６．０４．０１」がそれぞれ記憶される。
【００５８】
なお、行事メモリ１８の氏名／行事名称記憶領域１８２に行事名称を記憶しないで、行事モデルデータ記憶領域６７（図１２）内の行事名称記憶領域６７１に記憶された行事名称を代わりに使用することもできる。例えば、あらかじめ各行事に行事番号を定めておき、行事メモリ１８の氏名／行事名称記憶領域１８２には、この行事番号を記憶し、各行事の行事名称を表示するときには、この行事番号に対応する行事名称を行事モデルデータ記憶領域６７から読み出して使用してもよい。
【００５９】
ステップＳ７１６の処理が終わると、図９のステップＳ６６４に進み、このステップＳ６６４で行事モードがリセットされたか否かが判断され、行事モードがリセットされていないときには行事モードボタン別処理プログラムの最初のステップに戻り、以下、この行事モードがリセットされるまでプログラムが動作状態に維持される。
【００６０】
このようにしてページ設定処理が実行されると、ユーザは本電子カメラの行事管理機能を用いて、いずれかの行事の日に撮影した画像のデータを当該行事に関連付けて記憶させることができる。
【００６１】
図１３は、プログラム記憶領域６２（図５）に記憶された撮影モード処理プログラム６２０により実行される処理の一例の概略フローチャートである。シャッタボタン２１Ｂ（図４）は、半押しの状態と全押しの状態を取りうる２段スイッチである。撮影モード処理プログラム６２０はシャッタボタン２１Ｂが半押しの状態に押されたときに起動され、まず、撮影・記憶処理Ｓ６２１が実行される。
【００６２】
この撮影・記憶処理Ｓ６２１は以下の処理を実行する。即ち、シャッタボタン２１Ｂが半押し状態のときに、音声発生部１９（図１）を制御してメロディーをスピーカ２０より出力させて被写体にシャッタが押されていること、即ち、撮像途中であることを知らせる。更に自動焦点合わせが実行される。この自動焦点合わせでは、図示しない距離検出装置から送られてくる距離情報の信号に基づいて行わせてもよいが、図１の撮像素子２を距離測定センサとして利用し、信号処理部５の出力に応じて光学系１の焦点が被写体に自動的に合わせられる様にしてもよい。更に、光量検出部９の出力に基づいて、光学系１の絞り量とシャッタ時間が決定され、ストロボ１１を使用するか否かが決定される。光学系駆動回路８を制御して光学系１内の絞りの量が決定された値に設定される。
【００６３】
その後、シャッタボタン２１Ｂが更に押されて全押しの状態になると、ストロボの使用が必要な場合には、撮像時にストロボ駆動制御部１０を制御してストロボ１１の発光タイミングと発光量が制御される。駆動制御部７を制御して撮像素子２から指定されたシャッタ時間に対応する画像データを出力させ、当該画像データは画像メモリ１７に記憶される。画像データをメモリカード１４に記憶させることもできる。
【００６４】
撮影・記憶処理Ｓ６２１で１枚の画像データの写し込みが終了すると、ステップＳ６２２に進み撮影日が行事メモリ１８に記憶された開催日か否かが判断される。なお、ここでは、仮定により行事メモリ１８には最初のページ１８０のみが設定されており、上記ステップＳ６２２により判断される開催日はこの最初のページ１８０に記憶された開催日である。しかし、行事メモリ１８には図２（ａ）に示したように複数のページが記憶されている場合もある。その場合には後に説明するページ選択操作により、撮影の前にユーザによりあらかじめいずれかのページが選択される。この場合には、上記ステップＳ６２２により判断される開催日は、このようにしてあらかじめ選択されたページに記憶された開催日である。
【００６５】
ここでは最初のページ１８０には図２（ｂ）に示す行事データが記憶されていると仮定する。この場合には、ステップＳ６２２により撮影日が複数の基準日／開催予定日記憶領域１８３に記憶された複数の開催日のいずれかと一致するか否かが判断される。このステップＳ６２２を実行するときには、誕生日も開催日として扱われる。撮影日がいずれかの開催日と一致するときには、ステップＳ６２３に進みその撮影が当日の最初の撮影であるか否かが判断される。
【００６６】
最初の撮影であると判断されたときにはステップＳ６２４に進み、先に撮影・記憶処理Ｓ６２１で画像メモリ１７に記憶された画像データの識別情報が図２（ｂ）の画像データ識別情報記憶領域１８４に記憶される。識別情報には、当該画像データが記憶された画像メモリ１７のメモリアドレスが例えば使用される。
【００６７】
したがって、誕生日に最初に撮影を行ったときには、行事データ記憶領域１８１Ａ内の画像データ識別情報記憶領域１８４に、画像メモリ１７のその撮影された画像データが記憶されているメモリアドレス「０００１」が記憶され、お七夜の日に最初に撮影を行ったときには、行事データ記憶領域１８１Ｂ内の画像データ識別情報記憶領域１８４にお七夜の画像データが記憶されているメモリアドレス「００１３」が記憶される。同様にして、内祝いとお食い初めに対してメモリアドレス「００３９」と「００５３」が記憶される。
【００６８】
ステップＳ６２３による判定の結果、撮影が開催日の最初の撮影でないと判断されたときには、ステップＳ６２４による、画像データの識別情報の記憶は実行されない。こうして、撮影モード処理プログラム６２０は終了する。
【００６９】
なお、ステップＳ６２３による、撮影が行事当日の最初の撮影か否かはいろいろな方法により判断することができる。例えば、当日と一致した開催日に対応する画像データ識別情報記憶領域１８４にいずれかの識別情報が既に記憶されているか否かにより判断してもよい。また、ステップＳ６２４で記憶される画像データの識別情報としては、当該画像データが記憶された画像メモリ１７のメモリアドレスに代えて、例えば当該画像データのファイル名を使用することもできる。更に、撮影により得られた画像データをメモリカード１４に記憶する場合には、当該メモリカードを識別する情報と当該メモリカードに記憶された画像データを識別する情報を画像データ識別情報記憶領域１８４に記憶すればよい。
【００７０】
上記撮影の後、ユーザは本電子カメラの行事管理機能を用いて行事に関連するデータを入力することもできる。本実施の形態では、ユーザは行事に関連するデータとして子供の体重と身長を入力することができる。例えば行事ボタン２１Ｅがオンにされ、本電子モードが行事モードに設定された状態で、ユーザが関連データボタン２１Ｈを押すと、ステップＳ６６０（図９）により関連データボタン２１Ｈがオンにされたことが検出される。その場合、ステップＳ６６１により当日が開催日か否かが判定され、当日が開催日であるときには、ステップＳ６６２により体重・身長入力画面が表示装置１２に表示される。
【００７１】
ユーザが文字記号入力ボタン群２１Ｐを用いて体重と身長を入力すると、これらの入力データは、ステップＳ６６３により、行事メモリ１８内の当日の行事に対応する体重記憶領域１８５と身長記憶領域１８６にそれぞれ記憶される。例えば、誕生日に体重と身長が入力されたときには、最初の行事データ記憶領域１８１Ａ内に設けられた体重記憶領域１８５と身長記憶領域１８６にそれぞれ体重（例えば「３１４０（ｇ）」）と身長（例えば「５５．５（ｃｍ）」）とが記憶される。他の開催日についても同様である。
【００７２】
なお、ステップＳ６６１により、当日が開催日でないと判断されたときには、行事モードボタン別処理プログラム６６０は何もしない。したがってユーザは体重・身長を入力できない。開催日以外の日に体重と身長を入力するには、後に述べるように当日を開催日として追加した後に関連データボタン２１Ｈをオンにして体重と身長を入力すればよい。
【００７３】
ページ設定がなされた後は、ユーザは本電子カメラの行事管理機能を日々使用して次の行事の予定を知ることもできる。すなわち、ユーザが行事ボタン２１Ｅをオンすると、既に説明したように、行事モード初期処理プログラム６５０（図７）が起動されると、ステップＳ６５１において行事ボタン２１Ｅがオンであると判断され、ステップＳ６５２により本電子カメラは行事モードに設定される。ステップＳ６５３においては、今の仮定では、ページ設定済みと判断される。この結果、行事モード初期画面表示処理８００が実行される。
【００７４】
図８は、行事モード初期画面表示処理８００の処理の一例を示す概略フローチャートである。ステップＳ８０１では、あらかじめ指定されたページの初期設定データ、すなわち氏名と誕生日が読み出される。今の場合、仮定により行事メモリ１８内の最初のページ１８０（図２（ａ））があらかじめ指定されている。したがって、図２（ｂ）に示した最初の行事データ記憶領域１８１Ａ内の氏名／行事名称記憶領域１８２と基準日／開催予定日記憶領域１８３に記憶された氏名「○○太郎」と誕生日「２００１．０２．０１ＡＭ８：３４」が読み出される。
【００７５】
ステップＳ８０２により、誕生日に最初に撮影された画像データが画像メモリ１７より読み出される。この読み出しには、最初の行事データ記憶領域１８１Ａ内に設けられた画像データ識別情報記憶領域１８４に記憶されたメモリアドレスが用いられる。ステップＳ８０３により、行事ボタン２１Ｅが押された当日の行事又は次の行事のデータが読み出される。
【００７６】
すなわち、当日がいずれかの行事の日に一致するときには、その行事が読み出され、当日がいずれの行事の日にも一致しないときには、当日以降に最初に実行されるべき次の行事が読み出される。例えば、行事ボタン２１Ｅが押された日が誕生日の２日後と仮定すると、次の行事としてお七夜が読み出される。あるいは行事ボタン２１Ｅが押された日が誕生日の７日後と仮定すると、当日の行事としてお七夜が読み出される。
【００７７】
その後、ステップＳ８０４により、誕生日より行事ボタン２１Ｅが押された時点までの経過日数・時間が計算される。その後、ステップＳ８０５により以上のステップＳ８０１からＳ８０４により得られたデータを用いて行事モード初期画面が表示される。
【００７８】
図１４は、当日が誕生日より２日経過した日に行事ボタン２１Ｅが押された場合に表示される行事モード初期画面の例を示す。この画面には氏名を示す文字列６５１と、経過日数・時間を示す文字列６５２と、次の行事が「お七夜」であることを示す文字列６５３と、当日の日付を示す文字列６５４と、誕生日と誕生時間を示す文字列６５５とが表示される。更に、誕生日に最初に撮影された画像６５６が表示される。なお、当日がいずれかの行事の日に一致するときには、文字列６５３として例えば「本日は○○の日です」という当日の行事の名称を示す文字列が表示される。こうして行事モード初期処理プログラム６５０が終了する。
【００７９】
当日の行事又は次の行事を示す文字列６５３により、ユーザは次の行事の予告を得るので、次の行事に備えることができる。更に、経過日数・時間を示す文字列により、ユーザは誕生後の経過日数・時間を知ることができる。なお、経過日数・時間に代えて単に経過日数のみを計算するようにしてもよい。しかし、特に誕生後それほど長い期間が経過していない場合には、経過日数とともに経過時間を算出し、表示することが有効である。また、この経過日数・時間として直前の行事の日からの経過日数・時間を表示するようにしてもよい。
【００８０】
ユーザは、本電子カメラによる行事管理機能を用いて、先に決定された複数の行事のリストを見ることもできる。すなわち、ユーザが行事ボタン２１Ｅをオンにして、本電子カメラを行事モードにした状態で、前方歩進ボタン２１Ｆ又は後方歩進ボタン２１Ｇ（図４）をユーザがオンにすると、行事モードボタン別処理プログラム６６０が起動される。以下では、前方歩進ボタン２１Ｆと後方歩進ボタン２１Ｇを区別しないで単に歩進ボタンと呼ぶことがある。
【００８１】
具体的には、図１０に示されるステップＳ６７０において歩進ボタンがオンにされたことが検出され、ステップＳ６７１において、撮影済みの画像データが表示中であるか否かが判断される。撮影により得られた画像データは後に説明する操作により表示される。ここではその操作がまだ行われていないと仮定すると、画像データは表示されていない。その場合には、ステップＳ６７２により行事リストが表示中であるか否かが判断される。ここでは行事リストは表示中でないと仮定する。その場合には行事メモリ１８内の第２の行事データ記憶領域１８１Ｂ以降に記憶された複数の行事が行事リストして表示装置１２に表示される。
【００８２】
図１５（ａ）は、行事リスト６８の例を示す図である。行事リスト６８は、開催日６８１と、行事名称６８２と、更に関連データとして当該開催日に対する関連データとしてユーザにより入力された体重６８３、身長６８４をそれぞれ含む複数の行事データのリストである。表示される行事リストに含まれるこれらのデータは、行事メモリ１８から読み出される。なお同時に表示される行事データの数は、表示装置１２の高さに依存する。
【００８３】
ステップＳ６７３により行事リスト６８が最初に表示されるときには、図に示すように誕生を示す行事データとそれ以降の行事データが表示される。行事リスト６８が最初に表示されるときにはカーソル６８０は、誕生を示す行事データの位置にある。
【００８４】
行事リスト６８が表示されている状態で、更に前方歩進ボタン２１Ｆがオンにされたときには、ステップＳ６７２により、行事リストが表示中であると判断され、ステップＳ６７４により、同図（ｂ）に示すように行事リスト６８は一つの行事データ分だけ上方にスクロールされる。すなわち、行事メモリ１８から誕生日の次の行事以降の行事のデータが読み出され、表示装置に表示される。このときカーソル６８０の位置は、誕生日の次の行事であるお七夜の行事データの位置にある。こうして、表示装置１２に表示される行事データが更新される。なお、カーソル６８０の位置は、表示される行事が更新されてもいつも画面の最上部にあることになる。
【００８５】
同図（ｂ）に示す行事データが表示された状態で後方歩進ボタン２１Ｇが更にオンにされると、ステップＳ６７４により行事リスト６８は逆に下方にスクロールされ、再度同図（ａ）の画面が表示されることになる。このようにして、ユーザは、任意の行事の日付と行事名称とともに関連データが既に入力されているときには当該関連データも見ることができる。このようにスクロールを利用することにより表示装置１２が同時に表示する行事データの数が少なくても任意の行事データを表示できる。表示装置１２としては最小限一つの行事データを表示できればよいことになる。
【００８６】
一方、行事リスト６８が表示されている状態でユーザが画像読み出しボタン２１Ｊをオンにすることにより、カーソル６８０が位置する行事に対して撮影された画像データを表示装置１２に表示させることができる。すなわち、画像読み出しボタン２１Ｊがオンにされると、ステップＳ６８０によりこのことが検出される。その場合には、ステップＳ６８１によりカーソル位置の行事の日の最初の画像データが表示装置１２に表示される。この表示される画像データは、行事メモリ１８内の当該行事に対応して画像データ識別情報記憶領域１８４に記憶された画像データ識別情報に基づいて画像メモリ１７から読み出される。
【００８７】
先頭の画像データが表示されている状態で、前方歩進ボタン２１Ｆがオンにされると、ステップＳ６７１により画像データが表示中であることが検出される。この場合には、ステップＳ６７５により次の画像データが表示される。先頭の画像データ以外の画像データが表示されている状態で、後方歩進ボタン２１Ｇがオンにされると、ステップＳ６７１により画像データが表示中であることが検出され、ステップＳ６７５により一つ前の画像データが表示される。こうして、ユーザは、同じ行事に関して撮影された任意の画像データを表示装置１２に表示させることができる。
【００８８】
ユーザは、本電子カメラの行事管理機能により決定された開催日を変更することもできる。すなわち、行事ボタン２１Ｅをオンにして、本電子カメラを行事モードに設定し更に歩進ボタン２１Ｆ又は２１Ｇをオンにして行事リストを表示している状態でユーザが行事変更ボタン２１Ｋをオンにすると、行事変更ボタン２１ＫがオンされたことがステップＳ６９０（図１０）により検出される。そのときには、ステップＳ６９１によりカーソル６８０が位置する行事に対する修正後の日付を入力するための図示しない画面が表示され、ユーザが修正日付データを入力する。ステップＳ６９２により、修正後の開催日が行事メモリ１８内の該当する元の開催日を入力された修正後の開催日により書き替えられる。
【００８９】
ユーザは、本電子カメラの行事管理機能により決定された行事以外の行事を追加することもできる。すなわち、行事ボタン２１Ｅをオンにして、本電子カメラを行事モードに設定し、行事追加ボタン２１Ｌをオンにすると、行事追加ボタン２１ＬがオンされたことがステップＳ７２０（図１１）により検出される。そのときには、ステップＳ７２１により、追加すべき行事の名称と日付を入力するための図示しない画面が表示され、ユーザが行事名称と日付を入力する。
【００９０】
ステップＳ７２２により、入力された行事の名称と日付を含む行事データが行事メモリ１８に記憶される。追加された行事データが記憶されるときには、当該追加された行事の日付より新しい日付の行事のデータが後方にシフトされ、当該追加された行事のデータは、当該追加された行事の日付より古い日付の行事と当該追加された行事の日付より新しい日付の行事の間に挿入されるように記憶される。図２（ｃ）は、追加された行事の例を示す。
【００９１】
ユーザは、既に説明したようにページ設定ボタン２１Ｍを操作して新たなページを行事メモリ１８に追加することもできる。例えば第２子が生まれたときに、当該第２子に関する初期設定データを図２（ａ）の行事データ群記憶領域１９０に入力すればよい。こうして行事メモリ１８に複数のページが記憶されるようになったとき、ユーザは任意のページを選択することができる。すなわち、行事ボタン２１Ｅをオンにして、本電子カメラを行事モードに設定し、ページ選択ボタン２１Ｎをオンにすると、ページ選択ボタン２１ＮがオンされたことがステップＳ７００（図１１）により検出される。そのときには、ステップＳ７０１により、次のページが選択される。
【００９２】
ページが新たに選択されると、行事モード初期画面表示処理８００が実行される。この行事モード初期画面表示処理８００は、既に図８に関して説明したとおりである。今の場合、新たに選択されたページに記録された第２子に関するデータに基づいて図１４に例示された行事モード初期画面と類似の行事モード初期画面が表示される。
【００９３】
本発明は、以上に示した実施の形態に限定されず、発明の要旨を変更しない範囲で、上記実施の形態を変更あるいは修正してもよいことは言うまでもない。例えば、以上では、本発明に係る撮像装置の一つの実施の形態として電子スチールカメラの実施の形態の例を示したが、本発明は、他の撮像装置、例えばＶＴＲ（Video Tape Recorder）用のカメラ、あるいは写真フイルム等の感光部材に画像を記録するための通常のカメラにも適用できる。この通常のカメラは本発明では撮像装置の例でもあり電子機器の例でもあると考える。
【００９４】
更に、本発明は撮像装置以外の電子機器にも適用できる。例えば、据え置き型のディジタル時計に適用することもできる。とりわけ、携帯情報通信端末（ＰＤＡ−Personal Digital Assistant）、電子手帳、携帯電話機、ディジタル腕時計等の携帯用又は通常携帯して使用される電子機器に適用すると有効である。
【００９５】
上記実施の形態では撮影当日がいずれかの行事の開催日と一致するときには、当日に撮影された画像データの識別情報が行事メモリ１８に設けられた画像データ識別情報記憶領域１８４に記憶された。この画像データ識別情報を用いて、特定の行事に関係する画像データを読み出し表示することができた。この画像データ識別情報は、行事の当日に撮影された画像データを当該行事に関連付ける情報として記憶され、後にその関連付け情報を用いて、ユーザが指定した行事に関する画像データを表示するのに使用されている。
【００９６】
このような技術は、上記実施の形態におけるようにあらかじめ準備された行事モデルデータに基づいて行事データを決める方法とは別の方法で行事データを決める場合にも適用できる。例えば、ユーザが自分の好みの行事と開催予定日を複数組行事メモリ１８に登録できるように撮像装置を構成している場合にも適用できる。
【００９７】
同様に、実施の形態で用いられた体重と身長を行事に関連付けて記憶し、後に表示する技術も、上記実施の形態に限定されない。例えば、他の方法で行事メモリに登録された任意の行事データに関連して適用することもできる。
【００９８】
更に、以上の実施の形態では、本発明は子供の誕生という人に関する特定の事象の発生を契機として催される複数のお祝い行事に適用された。しかし、本発明は人に関する他の特定の事象にも適用してもよい。例えば人が死亡したときに遺族が行う複数の行事にも適用することができる。
【００９９】
【発明の効果】
本発明によれば、人に関する特定の事象の発生を契機として催される複数の行事の開催予定日を自動的に決定する機能を有する電子機器が得られる。
【０１００】
更に、本発明に係る電子機器又は撮像装置では、あらかじめ記憶された複数の行事のいずれかの開催予定日に撮影された画像データを当該行事に関連付けて記憶することができる。
【図面の簡単な説明】
【図１】本発明に係る行事管理機能を有する電子スチールカメラの概略ブロック図である。
【図２】行事メモリ内に設けられた複数の行事データ群記憶領域の例を示す図である。
【図３】画像メモリ内に設けられた複数の画像データ記憶領域を示す図である。
【図４】操作ボタン群に含まれる複数のボタンの例を示す図である。
【図５】制御部内のＲＯＭに設けられた複数のプログラム記憶領域を示す図である。
【図６】電源供給処理プログラムにより実行される処理の一例を示す概略フローチャートである。
【図７】行事モード初期処理プログラムにより実行される処理の一例を示す概略フローチャートである。
【図８】行事モード初期画面表示処理の処理の一例を示す概略フローチャートである。
【図９】行事モードボタン別処理プログラムにより実行される処理の例を示す概略フローチャートの一部である。
【図１０】行事モードボタン別処理プログラムにより実行される処理の例を示す概略フローチャートの他の部分である。
【図１１】行事モードボタン別処理プログラムにより実行される処理の例を示す概略フローチャートの更に他の部分である。
【図１２】ＲＯＭ内に設けられた行事モデルデータ記憶領域の例を示す図である。
【図１３】撮影モード処理プログラムにより実行される処理の一例の概略フローチャートである。
【図１４】行事モード初期画面の例を示す図である。
【図１５】行事リストの例を示す図である。
【符号の説明】
６８０…カーソル、６８１…行事開催予定日、６８２…行事名称、６８３…体重、６８４…身長。
【図１】
0004819231.tif 000002
【図２】
0004819231.tif 000003
【図３】
0004819231.tif 000004
【図４】
0004819231.tif 000005
【図５】
0004819231.tif 000006
【図６】
0004819231.tif 000007
【図７】
0004819231.tif 000008
【図８】
0004819231.tif 000009
【図９】
0004819231.tif 000010
【図１０】
0004819231.tif 000011
【図１１】
0004819231.tif 000012
【図１２】
0004819231.tif 000013
【図１３】
0004819231.tif 000014
【図１４】
0004819231.tif 000015
【図１５】
0004819231.tif 000016